(57)【要約】      （修正有）【課題】片手マッサージとともに、両手マッサージも実現でき、異なるマッサージニーズを満たすことができ、構造がコンパクトであるハンドマッサージャーを提供する。【解決手段】アウターケース１を備え、アウターケースには第１マッサージユニット、第２マッサージユニット、エアーポンプ、エアーバルブユニット及び電源ユニットが設けられ、第１マッサージユニットは、第１マッサージキャビティ２１を備え、第１マッサージキャビティ箇所には第１エアーバッグ加熱ユニットが設けられ、第２マッサージユニットは、第２マッサージキャビティを備え、第２マッサージキャビティ箇所には第２エアーバッグ加熱ユニットが設けられ、第１マッサージキャビティが第２マッサージキャビティの上方に位置し、第１マッサージキャビティの入口端及び第２マッサージキャビティの入口端が相互に対向して設けられるように、それぞれアウターケースの両端に位置し、エアーバルブユニットが第１マッサージキャビティの末端に設けられる。【選択図】図１
0003228640.tif 000002
【実用新案登録請求の範囲】
【請求項１】
アウターケースを備えるハンドマッサージャーであって、前記アウターケースには第１マッサージユニット、第２マッサージユニット、エアーポンプ、エアーバルブユニット及び電源ユニットが設けられ、前記第１マッサージユニットは、第１マッサージキャビティを備え、第１マッサージキャビティ箇所には第１エアーバッグ加熱ユニットが設けられ、前記第２マッサージユニットは、第２マッサージキャビティを備え、第２マッサージキャビティ箇所には第２エアーバッグ加熱ユニットが設けられ、第１マッサージキャビティが第２マッサージキャビティの上方に位置し、第１マッサージキャビティの入口端及び第２マッサージキャビティの入口端が相互に対向して設けられるように、それぞれアウターケースの両端に位置し、前記エアーバルブユニットが第１マッサージキャビティの末端に設けられ、前記エアーポンプが第２マッサージキャビティの末端に設けられる、ことを特徴とするハンドマッサージャー。
【請求項２】
前記第１マッサージユニットは、第１上インナーケースと第１下インナーケースとを備え、第１上インナーケースと第１下インナーケースとが固定して接続され、第１上インナーケースと第１下インナーケースとの間に第１マッサージキャビティが構成され、前記第２マッサージユニットは、第２上インナーケースと第２下インナーケースとを備え、第２上インナーケースと第２下インナーケースとが固定して接続され、第２上インナーケースと第２下インナーケースとの間に第２マッサージキャビティが構成され、前記第１マッサージキャビティが入口端から末端まで徐々に傾斜に設けられ、前記第２マッサージキャビティが入口端から末端まで徐々に傾斜に設けられる、ことを特徴とする請求項１に記載のハンドマッサージャー。
【請求項３】
前記アウターケースは、上アウターケースと下アウターケースとを備え、上アウターケースと下アウターケースとがスナップフィット接続され、前記電源ユニットは、充電回路基板と、マスター回路基板と、電池ボックスとを備え、電池ボックスが充電回路基板に電気的に接続され、充電回路基板がマスター回路基板に電気的に接続され、上アウターケースの内側壁には第１取付台及び第２取付台が設けられ、マスター回路基板が第１取付台に固定して設けられ、上アウターケースの側壁の、マスター回路基板に対応する箇所にはボタンが設けられ、電池ボックスが第２取付台に固定して設けられ、下アウターケースの内側壁の、充電回路基板に対応する箇所には第３取付台が設けられ、充電回路基板が第３取付台に固定して設けられ、下アウターケースにはエアーポンプを固定して取り付けるための第４取付台がさらに設けられる、ことを特徴とする請求項２に記載のハンドマッサージャー。
【請求項４】
前記第１エアーバッグ加熱ユニットは、第１加熱シートと複数の第１エアーバッグとを備え、前記第２エアーバッグ加熱ユニットは、第２加熱シートと複数の第２エアーバッグとを備え、エアーバルブユニットは、マスター回路基板に電気的に接続される複数の電磁弁を備え、第２上インナーケースの外側面には第５取付台が設けられ、各電磁弁が第５取付台に固定して設けられ、前記電磁弁がそれぞれエアーポンプに接続され、前記電磁弁がそれぞれ第１エアーバッグと第２エアーバッグに１対１に接続され、エアーポンプ、電磁弁、第１加熱シート及び第２加熱シートがそれぞれマスター回路基板に電気的に接続される、ことを特徴とする請求項２または３に記載のハンドマッサージャー。
【請求項５】
前記第２下インナーケースと下アウターケースとが固定して接続され、第１下インナーケースと第２上インナーケースとが固定して接続され、前記第１上インナーケースと上アウターケースとが固定して接続される、ことを特徴とする請求項３に記載のハンドマッサージャー。
【請求項６】
前記電源ユニットは、音声制御回路基板と、スピーカと、マイクとをさらに備え、スピーカとマイクがそれぞれ音声制御回路基板に電気的に接続され、音声制御回路基板がマスター回路基板に電気的に接続され、下アウターケースの、電池ボックスに対応する箇所には第６取付台が設けられ、音声制御回路基板が第６取付台に固定して設けられ、下アウターケースの、充電回路基板側には第７取付台が設けられ、マイクが第７取付台に設けられ、第１下インナーケースの、エアーポンプ側には第８取付台が設けられ、スピーカが第８取付台に固定して設けられる、ことを特徴とする請求項３または５に記載のハンドマッサージャー。
【請求項７】
前記下アウターケースには第３加熱シートがさらに設けられ、下アウターケースには位置決め柱が設けられ、第３加熱シートには位置決め穴が設けられ、位置決め柱が位置決め穴を貫通して設けられ、第３加熱シートがマスター回路基板に電気的に接続される、ことを特徴とする請求項３または５に記載のハンドマッサージャー。
【請求項８】
前記上アウターケースには上ケースカバープレートがさらに設けられ、上ケースカバープレートが上アウターケースにスナップフィット接続される、ことを特徴とする請求項３または５に記載のハンドマッサージャー。
【考案の詳細な説明】
【技術分野】
【０００１】
本考案は、マッサージ器具の技術分野、特にハンドマッサージャーに関する。
【背景技術】
【０００２】
一般的なハンドマッサージャーは、手部の虎口、掌の中心及び指部位をマッサージし、現在の市場のハンドマッサージャーは、片手マッサージしかできず、使用者のニーズに応じて片手マッサージ或いは両手マッサージを自在に選択できず、機能が単一である。
【考案の概要】
【考案が解決しようとする課題】
【０００３】
本考案は、従来技術の欠陥を解消し、片手マッサージを実現できるとともに、両手マッサージも実現でき、異なるマッサージニーズを満たすことができ、各部材の位置の設計が合理的であり、構造がコンパクトであるハンドマッサージャーを提供する。
【課題を解決するための手段】
【０００４】
上記目的を達成するために、本考案の用いる技術的解決手段は以下のとおりである。ハンドマッサージャーであって、アウターケースを備え、前記アウターケースには第１マッサージユニット、第２マッサージユニット、エアーポンプ、エアーバルブユニット及び電源ユニットが設けられ、前記第１マッサージユニットは、第１マッサージキャビティを備え、第１マッサージキャビティ箇所には第１エアーバッグ加熱ユニットが設けられ、前記第２マッサージユニットは、第２マッサージキャビティを備え、第２マッサージキャビティ箇所には第２エアーバッグ加熱ユニットが設けられ、第１マッサージキャビティが第２マッサージキャビティの上方に位置し、第１マッサージキャビティの入口端及び第２マッサージキャビティの入口端が相互に対向して設けられるように、それぞれアウターケースの両端に位置し、前記エアーバルブユニットが第１マッサージキャビティの末端に設けられ、前記エアーポンプが第２マッサージキャビティの末端に設けられる。
【０００５】
上記解決手段を用いることによって、第１エアーバッグ加熱ユニットは、第１エアーバッグと第１加熱シートとを備え、第１エアーバッグと第１加熱シートが第１マッサージキャビティの内側壁に直接的または間接的に設けられ、第２エアーバッグ加熱ユニットは、第２エアーバッグと第２加熱シートとを備え、第２エアーバッグと第２加熱シートが第２マッサージキャビティの内側壁に直接的または間接的に設けられ、手がマッサージキャビティに入るとき、エアーバッグに空気を注入して、手部の虎口、掌の中心、指部位をマッサージすることができ、加熱シートが加熱機能を有し、マッサージすると同時に、加熱を選択でき、第１マッサージキャビティの入口端及び第２マッサージキャビティの入口端がアウターケースの両端に位置するが、相互に対向して設けられるため、第１マッサージキャビティと第２マッサージキャビティとを相互に重ねた後、マッサージャーの構造がよりコンパクトになり、マッサージャーの全体体積を減少させ、片手マッサージを実現できるとともに、両手マッサージも実現でき、異なるマッサージニーズを満たすことができ、第１マッサージキャビティの末端と第２マッサージキャビティの末端にはさらに一定の取付空間を有し、エアーバルブユニットが第１マッサージキャビティの末端に設けられ、エアーポンプが第２マッサージキャビティの末端に設けられ、空間を活用し、各部材の位置の設計が合理的であり、構造がコンパクトである。
【０００６】
本考案の更なる構成は、以下のとおりである。前記第１マッサージユニットは、第１上インナーケースと第１下インナーケースとを備え、第１上インナーケースと第１下インナーケースとが固定して接続され、第１上インナーケースと第１下インナーケースとの間に第１マッサージキャビティが構成され、前記第２マッサージユニットは、第２上インナーケースと第２下インナーケースとを備え、第２上インナーケースと第２下インナーケースとが固定して接続され、第２上インナーケースと第２下インナーケースとの間に第２マッサージキャビティが構成され、前記第１マッサージキャビティが入口端から末端まで徐々に傾斜に設けられ、前記第２マッサージキャビティが入口端から末端まで徐々に傾斜に設けられ。
【０００７】
上記解決手段を用いることによって、第１上インナーケースと第１下インナーケースとがねじ込みボルトを介して安定に接続され、第２上インナーケースと第２下インナーケースとがねじ込みボルトを介して安定に接続され、第１マッサージキャビティの、第２マッサージキャビティに近い側が傾斜に設けられ、第２マッサージキャビティの、第１マッサージキャビティに近い側が傾斜に設けられるため、第１マッサージキャビティと第２マッサージキャビティとが単なる重なりではなく、マッサージニーズを満たすとともに、マッサージャーの構造がよりコンパクトになり、空間を活用する。
【０００８】
本考案の更なる構成は、以下のとおりである。前記アウターケースは、上アウターケースと下アウターケースとを備え、上アウターケースと下アウターケースとがスナップフィット接続され、前記電源ユニットは、充電回路基板と、マスター回路基板と、電池ボックスとを備え、電池ボックスが充電回路基板に電気的に接続され、充電回路基板がマスター回路基板に電気的に接続され、上アウターケースの内側壁には第１取付台及び第２取付台が設けられ、マスター回路基板が第１取付台に固定して設けられ、上アウターケースの側壁の、マスター回路基板に対応する箇所にはボタンが設けられ、電池ボックスが第２取付台に固定して設けられ、下アウターケースの内側壁の、充電回路基板に対応する箇所には第３取付台が設けられ、充電回路基板が第３取付台に固定して設けられ、下アウターケースにはエアーポンプを固定して取り付けるための第４取付台がさらに設けられる。
【０００９】
上記解決手段を用いることによって、上アウターケースと下アウターケースとがスナップフィット接続され、接続方式が簡単であり、取り付けが容易であり、マスター回路基板がボルトを介して第１取付台に固定して設けられ、電池ボックスがボルトを介して第２取付台に固定して設けられ、充電回路基板がボルトを介して第３取付台に固定して設けられ、充電回路基板には電源プラグが設けられ、アウターケースの、電源プラグに対応する箇所には第１貫通孔が設けられ、電池ボックス内がリチウム電池であり、電源プラグが外部電源に接続でき、マスター回路基板へ給電できるとともに、充電もでき、マッサージャーを使用するとき、より柔軟かつ自在になり、充電ケーブルとコンセントで制約されず、エアーポンプがボルトを介して第４取付台に固定して設けられ、各部材の設置位置が合理的であり、取り付けが安定する。
【００１０】
本考案の更なる構成は、以下のとおりである。前記第１エアーバッグ加熱ユニットは、第１加熱シートと複数の第１エアーバッグとを備え、前記第２エアーバッグ加熱ユニットは、第２加熱シートと複数の第２エアーバッグとを備え、エアーバルブユニットは、マスター回路基板に電気的に接続される複数の電磁弁を備え、第２上インナーケースの外側面には第５取付台が設けられ、各電磁弁が第５取付台に固定して設けられ、前記電磁弁がそれぞれエアーポンプに接続され、前記電磁弁がそれぞれ第１エアーバッグと第２エアーバッグに１対１に接続され、エアーポンプ、電磁弁、第１加熱シート及び第２加熱シートがそれぞれマスター回路基板に電気的に接続される。
【００１１】
上記解決手段を用いることによって、第１加熱シート、複数の第１エアーバッグ及び虎口ゴムパッドを第１マッサージキャビティ内に入れ、次に第１布カバーを第１マッサージキャビティの内側壁にかけ、第１布カバーの両側の折り畳み縁を第１上インナーケースと第１下インナーケースの第１戻りフックに係設し、手部の虎口の位置に虎口ゴムパッドがあり、マッサージするとき、エアーバッグが手のひらに密着し、マッサージ効果が優れ、第１布カバーが弾性変形でき、エアーバッグ付きのガスノズルボスと取り外しピンによって、第１エアーバッグ加熱ユニットが第１上インナーケースと第１下インナーケースに固定されやすく、第１エアーバッグに空気を注入した後、第１布カバーは、第１エアーバッグにより広げることができ、且つ耐熱性に優れ、第２加熱シート、複数の第２エアーバッグ及び虎口ゴムパッドを第２マッサージキャビティ内に入れ、次に第２布カバーを第２マッサージキャビティの内側壁にかけ、第２布カバーの両側の折り畳み縁を第２上インナーケースと第２下インナーケースの第２戻りフックに係設し、手部の虎口の位置に虎口ゴムパッドがあり、マッサージするとき、エアーバッグが手のひらに密着し、第２布カバーが弾性変形でき、エアーバッグ付きのガスノズルボスと取り外しピンによって、第２エアーバッグ加熱ユニットが第２上インナーケースと第２下インナーケースに固定されやすく、第２エアーバッグに空気を注入した後、第２布カバーは、第２エアーバッグにより広げることができ、且つ耐熱性に優れ、電磁弁がボルトを介して第５取付台に固定して設けられ、エアーポンプが主エアーパイプを介してそれぞれ各電磁弁と連通し、各電磁弁の出口がそれぞれ副エアーパイプを介して各エアーバッグと連通し、第１上インナーケース、第１下インナーケース、第２上インナーケース及び第２下インナーケースには副エアーパイプが穿設するための開口が設けられ、マスター回路基板は、各電磁弁を運転制御し、各電磁弁の出口の開閉を実現し、各エアーバッグに対して空気注入操作を行うことを実現し、電磁弁が如何に稼動するかということ、及び回路の接続は、本分野の一般的な技術であり、従って、本明細書では具体的に説明しない。
【００１２】
本考案の更なる構成は、以下のとおりである。前記第２下インナーケースと下アウターケースとが固定して接続され、第１下インナーケースと第２上インナーケースとが固定して接続され、前記第１上インナーケースと上アウターケースとが固定して接続される。
【００１３】
上記解決手段を用いることによって、取り付けるとき、まず、第１上インナーケースと第１下インナーケースとを固定して接続し、第２上インナーケースと第２下インナーケースとを固定して接続し、次に第１下インナーケースと第２上インナーケースとをボルトを介して固定して接続し、最後に第１上インナーケースと上アウターケースとをボルトを介して固定して接続し、第２下インナーケースと下アウターケースとをボルトを介して固定して接続し、取り付けが容易である。
【００１４】
本考案の更なる構成は、以下のとおりである。前記電源ユニットは、音声制御回路基板と、スピーカと、マイクとをさらに備え、スピーカとマイクがそれぞれ音声制御回路基板に電気的に接続され、音声制御回路基板がマスター回路基板に電気的に接続され、下アウターケースの、電池ボックスに対応する箇所には第６取付台が設けられ、音声制御回路基板が第６取付台に固定して設けられ、下アウターケースにおける充電回路基板側には第７取付台が設けられ、マイクが第７取付台に設けられ、第１下インナーケースの、エアーポンプに近い側には第８取付台が設けられ、スピーカが第８取付台に固定して設けられる。
【００１５】
上記解決手段を用いることによって、マイクは、第７取付台に直接嵌設され、マスター回路基板に電気的に接続され、アウターケースの、マイクに対応する箇所に第２貫通孔が設けられ、音声コマンドを受信することに用いられ、音声制御回路基板は、信号を処理してマスター回路基板にフィードバックし、マッサージ、加熱、一時停止、停止などの機能のオンオフを実現し、スピーカは、第８取付台に挿設され、警報または関連するコマンドを受信した後の音声通知を発出することに用いられ、回路の具体的な設計は、当業者の一般的な技術手段であり、従って、本明細書では具体的に説明しない。音声制御回路基板、スピーカ及びマイクの位置の設計が合理的である。
【００１６】
本考案の更なる構成は、以下のとおりである。前記下アウターケースには第３加熱シートがさらに設けられ、下アウターケースには位置決め柱が設けられ、第３加熱シートには位置決め穴が設けられ、位置決め柱が位置決め穴を貫通して設けられ、第３加熱シートがマスター回路基板に電気的に接続され。
【００１７】
上記解決手段を用いることによって、マッサージャーの底部には取り付けやすい第３加熱シートが設けられ、マスター回路基板が第３加熱シートに通電でき、第３加熱シートの生じた熱量が下ケースを介してマッサージャーの底部外側に伝達し、人体のニーズに応じて腹部を加熱でき、女性の生理期の腹部痛みに対して一定の緩和作用を有する。
【００１８】
本考案の更なる構成は、以下のとおりである。前記上アウターケースには上ケースカバープレートがさらに設けられ、上ケースカバープレートと上アウターケースとがスナップフィット接続される。
【００１９】
上記解決手段を用いることによって、上ケースカバープレートは、ＡＢＳ製シャイニー面であり、表面にいかなる被覆物もなく、上アウターケースにスナップフィットによって係止されてもよく、上ケースカバープレートは、表面にＰＵフォームが被覆され、上アウターケースにスナップフィットによって係止されてもよく、上ケースカバープレートは、表面にポリウレタン発泡布が被覆され、上アウターケースにスナップフィットによって係止されてもよい。
【００２０】
以下、図面を組み合わせて本考案について更に説明する。
【図面の簡単な説明】
【００２１】
【図１】本考案の実施例における第１マッサージキャビティの構造模式図である。
【図２】本考案の実施例における第２マッサージキャビティの構造模式図である。
【図３】本考案の実施例の分解構造の模式図である。
【図４】第１マッサージキャビティ及び第２マッサージキャビティの嵌合構造の模式図である。
【図５】下アウターケースにおける各部材の取付構造の模式図である。
【図６】上アウターケースにおける各部材の取付構造の模式図である。
【図７】第１上インナーケース及び第１下インナーケースの嵌合構造の模式図である。
【図８】第２上インナーケース及び第２下インナーケースの嵌合構造の模式図である。
【考案を実施するための形態】
【００２２】
図１〜図８に示すように、ハンドマッサージャーであって、アウターケース１を備え、アウターケース１には第１マッサージユニット、第２マッサージユニット、エアーポンプ４、エアーバルブユニット及び電源ユニットが設けられ、第１マッサージユニットは、第１マッサージキャビティ２１を備え、第１マッサージキャビティ２１箇所には第１エアーバッグ加熱ユニットが設けられ、第２マッサージユニットは、第２マッサージキャビティ３１を備え、第２マッサージキャビティ３１箇所には第２エアーバッグ加熱ユニットが設けられ、第１マッサージキャビティ２１が第２マッサージキャビティ３１の上方に位置し、第１マッサージキャビティ２１の入口端及び第２マッサージキャビティ３１の入口端が相互に対向して設けられるように、それぞれアウターケース１の両端に位置し、エアーバルブユニットが第１マッサージキャビティ２１の末端に設けられ、エアーポンプ４が第２マッサージキャビティ３１の末端に設けられる。第１マッサージキャビティ２１と第２マッサージキャビティ３１とを相互に重ねた後、マッサージャーの構造がよりコンパクトになり、マッサージャーの全体体積を減少させ、片手マッサージを実現できるとともに、両手マッサージも実現でき、異なるマッサージニーズを満たすことができ、第１マッサージキャビティ２１の末端と第２マッサージキャビティ３１の末端にはさらに一定の取付空間を有し、エアーバルブユニットが第１マッサージキャビティ２１の末端に設けられ、エアーポンプ４が第２マッサージキャビティ３１の末端に設けられ、空間を活用し、各部材の位置の設計が合理的であり、構造がコンパクトである。
【００２３】
本実施例では、第１マッサージユニットは、第１上インナーケース２２と第１下インナーケース２３とを備え、第１上インナーケース２２には第１取付穴２２１が設けられ、第１下インナーケース２３の、第１取付穴２２１に対応する箇所には第１ねじ穴２３１が設けられ、第１上インナーケース２２と第１下インナーケース２３とがねじ込みボルトを介して固定して接続され、第１上インナーケース２２と第１下インナーケース２３との間に第１マッサージキャビティ２１が構成され、第２マッサージユニットは、第２上インナーケース３２と第２下インナーケース３３とを備え、第２下インナーケース３３には第２取付穴３３１が設けられ、第２上インナーケース３２の、第２取付穴３３１に対応する箇所には第２ねじ穴３２１が設けられ、第２上インナーケース３２と第２下インナーケース３３とがねじ込みボルトを介して固定して接続され、第２上インナーケース３２と第２下インナーケース３３との間に第２マッサージキャビティ３１が構成され、第１マッサージキャビティ２１が入口端から末端まで徐々に傾斜に設けられ、第２マッサージキャビティ３１が入口端から末端まで徐々に傾斜に設けられる。
【００２４】
本実施例では、アウターケース１は、上アウターケース１１と下アウターケース１２とを備え、上アウターケース１１と下アウターケース１２とがスナップフィット接続され、上アウターケース１１には第１フック１１１が設けられ、下アウターケース１２には第１フック１１１に掛設される第２フック１２１が設けられ、電源ユニットは、充電回路基板５１と、マスター回路基板５２と、電池ボックス５３とを備え、電池ボックス５３が充電回路基板５１に電気的に接続され、本明細書における電気的接続とは、いずれも、リード線を介して接続されることであり、充電回路基板５１がマスター回路基板５２に電気的に接続され、上アウターケース１１の内側壁には第１取付台１１２と第２取付台１１３が設けられ、マスター回路基板５２がボルトを介して第１取付台１１２に固定して設けられ、上アウターケース１１の側壁の、マスター回路基板５２に対応する箇所にはボタン５７が設けられ、電池ボックス５３がボルトを介して第２取付台１１３に固定して設けられ、下アウターケース１２の内側壁の、充電回路基板５１に対応する箇所には第３取付台１２２が設けられ、充電回路基板５１がボルトを介して第３取付台１２２に固定して設けられ、充電回路基板５１には電源プラグ５１１が設けられ、下アウターケース１２の、電源プラグ５１１に対応する箇所には第１貫通孔１２３が設けられ、電池ボックス５３内にリチウム電池であり、電源プラグ５１１が外部電源に接続でき、マスター回路基板５２へ給電できるとともに、充電もでき、マッサージャーを使用するとき、より柔軟かつ自在になり、充電ケーブルとコンセントで制約されず、下アウターケース１２にはエアーポンプ４を固定して取り付けるための第４取付台１２４がさらに設けられる。
【００２５】
本実施例では、第１エアーバッグ加熱ユニットは、第１加熱シート６１と複数の第１エアーバッグ６２とを備え、第１加熱シート６１と複数の第１エアーバッグ６２を第１マッサージキャビティ２１内に入れ、次に第１布カバー６３を第１マッサージキャビティ２１の内側壁にかけ、第１布カバー６３の両側の折り畳み縁を第１上インナーケース２２と第１下インナーケース２３の第１戻りフック２４に係設し、手部の虎口の位置に第１虎口ゴムパッド６４があり、マッサージするとき、エアーバッグが手のひらに密着し、マッサージ効果が優れ、第１布カバー６３が弾性変形でき、第１エアーバッグ６２に空気を注入した後、第１布カバー６３が第１エアーバッグ６２により広げることができ、且つ耐熱性に優れ、第２エアーバッグ加熱ユニットは、第２加熱シート７１と複数の第２エアーバッグ７２とを備え、第２加熱シート７１と複数の第２エアーバッグ７２を第２マッサージキャビティ３１内に入れ、次に第２布カバー７３を第２マッサージキャビティ３１の内側壁にかけ、第２布カバー７３の両側の折り畳み縁を第２上インナーケース３２と第２下インナーケース３３の第２戻りフック３４に係設し、手部の虎口の位置に第２虎口ゴムパッド７４があり、マッサージするとき、エアーバッグが手のひらに密着し、マッサージ効果が優れ、第２布カバー７３が弾性変形でき、第１エアーバッグ６２に空気を注入した後、第１布カバー６３は、第１エアーバッグ６２により広げることができ、且つ耐熱性に優れ、エアーバルブユニットは、マスター回路基板５２に電気的に接続される複数の電磁弁８を備え、第２上インナーケース３２の外側面には第５取付台３２２が設けられ、各電磁弁８がボルトを介して第５取付台３２２に固定して設けられ、電磁弁８がそれぞれエアーポンプ４に接続され、電磁弁８がそれぞれ第１エアーバッグ６２と第２エアーバッグ７２に１対１に接続され、第１上アウターケース２２、第１下アウターケース２３、第２上アウターケース３２及び第２下アウターケース３３にはエアー供給管が穿設するための開口が設けられ、エアーポンプ４、電磁弁８、第１加熱シート６１及び第２加熱シート７１がそれぞれマスター回路基板５２に電気的に接続される。
【００２６】
本実施例では、第２下インナーケース３３と下アウターケース１２とがボルトを介して固定して接続され、第１下インナーケース２３と第２上インナーケース３２とがボルトを介して固定して接続され、第１上インナーケース２２と上アウターケース１２とがボルトを介して固定して接続される。
【００２７】
本実施例では、電源ユニットは、音声制御回路基板５４と、スピーカ５５と、マイク５６とをさらに備え、スピーカ５５とマイク５６がそれぞれ音声制御回路基板５４に電気的に接続され、音声制御回路基板５４がマスター回路基板５２に電気的に接続され、下アウターケース１２の、電池ボックス５３に対応する箇所には第６取付台１２５が設けられ、音声制御回路基板５４がボルトを介して第６取付台１２５に固定して設けられ、下アウターケース１２の充電回路基板５１側には第７取付台１２６が設けられ、マイク５６が第７取付台１２６に嵌設され、下アウターケース１２の、マイク５６に対応する箇所には第２貫通孔１２７が設けられ、第１下インナーケース２３の、エアーポンプ４に近い側には第８取付台２３２が設けられ、スピーカ５５が第８取付台２３２に挿設され、第１下インナーケース２３の、スピーカ５５に対応する箇所には第３貫通孔２３３が設けられ、回路の具体的な設計は、当業者の一般的な技術手段であり、従って、本明細書では具体的に説明しない。
【００２８】
本実施例では、下アウターケース１２には第３加熱シート９がさらに設けられ、下アウターケース１２には位置決め柱１２８が設けられ、第３加熱シート９には位置決め穴９１が設けられ、位置決め柱１２８が位置決め穴９１を貫通して設けられ、第３加熱シート９がマスター回路基板５２に電気的に接続される。
【００２９】
本実施例では、上アウターケース１１には上ケースカバープレート１０がさらに設けられ、上ケースカバープレート１０が上アウターケース１１にスナップフィット接続される。
【００３０】
以上の実施例は、本考案の好適な特定の実施例に過ぎず、当業者が本考案の技術的解決手段範囲内に行う一般的な変化や置換は、いずれも、本考案の保護範囲に含まれる。
【図１】
0003228640.tif 000003
【図２】
0003228640.tif 000004
【図３】
0003228640.tif 000005
【図４】
0003228640.tif 000006
【図５】
0003228640.tif 000007
【図６】
0003228640.tif 000008
【図７】
0003228640.tif 000009
【図８】
0003228640.tif 000010